(57)【要約】【課題】ノイズ発生源側の回路の動作への影響を抑えながら、ノイズによる被ノイズ回路側への影響を容易に低減する技術を提供する。【解決手段】被ノイズ部は、ノイズによる影響を受ける。ノイズ低減部は、周波数帯域を選択することができ、選択された周波数帯域における被ノイズ部へのノイズを低減する。選択手段は、被ノイズ部の動作状態を監視し、監視結果に基づいて、ノイズ低減部で低減する周波数帯域を選択する。【選択図】図１
2010081324.tif 000002
【特許請求の範囲】
【請求項１】
ノイズによる影響を受ける被ノイズ部と、
周波数帯域を選択することができ、選択された周波数帯域における前記被ノイズ部へのノイズを低減するノイズ低減部と、
前記被ノイズ部の動作状態を監視し、監視結果に基づいて、前記ノイズ低減部で低減する周波数帯域を選択する選択手段と、を有する電子機器装置。
【請求項２】
前記ノイズ低減部は、ノイズを低減する周波数帯域が互いに異なる複数のノイズ低減回路を有し、
前記選択手段は、前記被ノイズ部の動作を監視し、監視結果に基づいて、前記複数のノイズ低減回路のいずれを使用するかを決定する、請求項１に記載の電子機器装置。
【請求項３】
前記被ノイズ部は、択一的に使用される複数の被ノイズ回路を有し、
前記選択手段は、前記複数の被ノイズ回路のいずれが使用されているかに応じて、前記複数のノイズ低減回路のうちいずれを使用するか決定する、請求項２に記載の電子機器装置。
【請求項４】
前記選択手段は、前記複数のノイズ低減回路を順次切り替えて選択し、各ノイズ低減回路が使用されているときの前記被ノイズ部の動作状態を測定し、測定結果に基づいて、前記複数のノイズ低減回路のいずれを使用するかを決定する、請求項２に記載の電子機器装置。
【請求項５】
前記ノイズ低減回路は、前記周波数帯域の信号を減衰させるフィルタである、請求項２に記載の電子機器装置。
【請求項６】
前記電子機器装置は無線通信装置であり、
前記被ノイズ回路は、アンテナに接続され、無線信号を処理する無線回路である、請求項３に記載の電子機器装置。
【請求項７】
前記被ノイズ部へ影響を及ぼすノイズの発生源がＦｌｅｘｉｂｌｅ  Ｐｒｉｎｔｅｄ  Ｃｉｒｃｕｉｔである、請求項１に記載の電子機器装置。
【請求項８】
前記複数のノイズ低減回路のうちのいずれか１つが、ノイズを低減する周波数帯域を有しない、請求項２に記載の電子機器装置。
【請求項９】
ノイズによる影響を受ける被ノイズ部の動作状態を監視し、
周波数帯域を選択することができ、選択された周波数帯域における前記被ノイズ部へのノイズを低減するノイズ低減部で低減する周波数帯域を、前記動作状態の監視結果に基づいて選択する、電子機器制御方法。
【請求項１０】
前記ノイズ低減部には、ノイズを低減する周波数帯域が互いに異なる複数のノイズ低減回路が含まれており、
前記監視結果に基づいて、前記複数のノイズ低減回路のいずれを使用するかを決定する、請求項９に記載の電子機器制御方法。
【請求項１１】
前記被ノイズ部には、択一的に使用される複数の被ノイズ回路が含まれており、
前記複数の被ノイズ回路のいずれが使用されているかに応じて、前記複数のノイズ低減回路のうちいずれを使用するか決定する、請求項１０に記載の電子機器制御方法。
【請求項１２】
前記複数のノイズ低減回路を順次切り替えて選択し、各ノイズ低減回路が使用されているときの前記被ノイズ部の動作状態を測定し、測定結果に基づいて、前記複数のノイズ低減回路のいずれを使用するかを決定する、請求項１０に記載の電子機器制御方法。
【発明の詳細な説明】
【技術分野】
【０００１】
本発明は、ノイズによって動作に影響を受ける回路を備えた装置に関する。
【背景技術】
【０００２】
携帯電話機にはノイズを発生する回路と、ノイズの影響を受ける回路の両方が混在している。そのため、携帯電話機自身の発生するノイズが自身の内部回路に回り込み、受信品質を劣化させることが問題視されている。この状態が自己中毒状態と呼ばれる。そこで、携帯電話機内で発生したノイズによる内部回路の動作への影響を抑制することが要求されている。
【０００３】
ノイズ発生源は、例えば、折畳式携帯電話機の基板間を接続するＦＰＣ（Ｆｌｅｘｉｂｌｅ  Ｐｒｉｎｔｅｄ  Ｃｉｒｃｕｉｔ）である。ノイズの影響を受ける回路は、例えば、アンテナに接続された無線の受信回路である。ＦＰＣから発生したノイズがアンテナを介して受信回路に回り込み、受信回路における信号の受信に影響を及ぼすことがある。
【０００４】
受信回路へのノイズ混入を防ぐためにはノイズ発生源においてノイズを低減させることが効果的である。そのため、例えば、ノイズ発生源であるＦＰＣの前にフィルタが挿入される。
【０００５】
一方で、近年、携帯電話機には高機能化と小型化の両方が要求されている。そのために携帯電話機では高密度実装が行われる。高密度実装化が進むと、必然的に、ノイズを発生する回路の実装位置とノイズの影響を受ける回路の実装位置が接近する。そうなると、携帯電話機内で発生したノイズによる内部回路へ影響が大きくなる。
【０００６】
また、近年では、携帯電話機に多くの種類の無線機が搭載されることが多くなっている。そして、それぞれの無線機では異なる周波数が使用される。そのため、携帯電話機全体としてノイズを抑制すべき周波数帯域が広がっている。これに対して、ノイズを抑制すべき全ての周波数帯域でノイズレベルを低減させることができるようなフィルタを使用すれば、全ての無線機の受信品質を向上させることができる。
【０００７】
しかし、そのようなフィルタを使用するためには問題がある。１つ問題は、広帯域で減衰量の充分なフィルタを作成することが容易でなく、そのようなフィルタは回路規模が大きくなってしまうということである。もう１つの問題は、そのような広帯域フィルタを挿入することにより、ノイズ発生源側の回路におけるデータやクロック等の信号が鈍り、動作に影響が出るということである。
【０００８】
これらの問題に対して、特許文献１には、複数のフィルタを備えており、その複数のフィルタの中からいずれかを選択して使用することにより、通過帯域および遮断帯域を変化させる装置が開示されている。
【特許文献１】特開２００６−２６２４３４号公報
【発明の開示】
【発明が解決しようとする課題】
【０００９】
上述したように、特許文献１に開示された装置は、外部インタフェースからの指令によってフィルタを選択するものである。しかしながら、装置内部のフィルタを切り替えるのに外部から指令を与えるのは、携帯電話機のユーザのような一般のユーザには容易ではない。特許文献１に開示された装置の構成は携帯電話機のように一般のユーザが使用する装置には不向きである。
【００１０】
本発明の目的は、ノイズ発生源側の回路の動作への影響を抑えながら、ノイズによる被ノイズ回路側への影響を容易に低減する技術を提供することである。
【課題を解決するための手段】
【００１１】
上記目的を達成するために、本発明の電子機器装置は、
ノイズによる影響を受ける被ノイズ部と、
周波数帯域を選択することができ、選択された周波数帯域における前記被ノイズ部へのノイズを低減するノイズ低減部と、
前記被ノイズ部の動作状態を監視し、監視結果に基づいて、前記ノイズ低減部で低減する周波数帯域を選択する選択手段と、を有している。
【００１２】
本発明の電子機器制御方法は、
ノイズによる影響を受ける被ノイズ部の動作状態を監視し、
ノイズを低減する周波数帯域を選択することができ、選択された周波数帯域における前記被ノイズ部へのノイズを低減するノイズ低減部で低減する周波数帯域を、前記動作状態の監視結果に基づいて選択するものである。
【発明の効果】
【００１３】
本発明によれば、被ノイズ部の動作状態を監視し、監視結果に基づいて、低減させる周波数帯域を選択する。広帯域のノイズを全て同時に低減するのではなく、選択した周波数帯域のノイズを低減する構成なので、ノイズ発生源側の回路の動作への影響が抑えられる。また、周波数帯域を自動的に選択するので、容易にノイズによる影響を低減することができる。さらに、被ノイズ部の動作状態の監視結果に基づいて周波数帯域を選択するので、被ノイズ部へのノイズの影響を効果的に低減することができる。
【発明を実施するための最良の形態】
【００１４】
本発明を実施するための形態について図面を参照して詳細に説明する。
【００１５】
図１は、本実施形態による電子機器の構成を示すブロック図である。図１を参照すると、電子機器１０は、ノイズ発生源１１、被ノイズ部１２、ノイズ低減部１３、および選択部１４を有している。
【００１６】
つまり、電子機器１０には、他の回路の動作に影響を及ぼし得るノイズを発生させる回路であるノイズ発生源１１と、ノイズ発生源１１で発生したノイズによって動作状態に影響を受け得る回路である被ノイズ部１２とが混在している。
【００１７】
ノイズ低減部１３は、ノイズを低減する回路で構成され、ノイズを低減する周波数帯域を選択することができる。ノイズ低減部１３は、ノイズ発生源１１から被ノイズ部１２へ回り込む、選択された周波数帯域におけるノイズを低減する。
【００１８】
選択部１４は、被ノイズ部１２の動作状態を監視し、監視結果に基づいて、ノイズ低減部１３で低減させる周波数帯域を選択する。
【００１９】
以上説明したように、本実施形態によれば、被ノイズ部１２の動作状態を監視し、監視結果に基づいて、低減させる周波数帯域を選択する。広帯域のノイズを全て同時に低減するのではなく、選択した周波数帯域のノイズを低減する構成なので、ノイズ発生源１１側の回路の動作への影響が抑えられる。また、周波数帯域を自動的に選択するので、容易にノイズによる影響を低減することができる。さらに、被ノイズ部１２の動作状態の監視結果に基づいて周波数帯域を選択するので、被ノイズ部１２へのノイズの影響を効果的に低減することができる。
【００２０】
図２は、本実施形態によるノイズ低減部１３の構成例を示すブロック図である。図２を参照すると、ノイズ低減部１３は、ノイズを低減する周波数帯域が互いに異なる複数のノイズ低減回路２１Ａ〜２１Ｃを有している。
【００２１】
選択部１４は、被ノイズ部１２の動作を監視し、監視結果に基づいて、複数のノイズ低減回路２１Ａ〜２１Ｃのいずれを使用するかを決定する。
【００２２】
図３は、本実施形態による被ノイズ部１２の構成例を示すブロック図である。図３を参照すると、被ノイズ部１２は、択一的に使用される複数の被ノイズ回路３１Ａ〜３１Ｃを有している。
【００２３】
選択部１４は、複数の被ノイズ回路３１Ａ〜３１Ｃのいずれが使用されているかに応じて、複数のノイズ低減部１３のうちいずれを使用するか決定する。
【００２４】
本実施形態の電子機器１０の典型的な例として携帯電話機がある。ノイズ低減回路２１Ａ〜２１Ｃは、例えば、周波数帯域の信号を減衰させるフィルタである。このフィルタは、ノイズ発生源１１の前に挿入するのが効果的である。また、被ノイズ回路３１Ａ〜３１Ｃは、例えば、アンテナ（不図示）に接続され、無線信号を処理する無線回路である。受信処理において、ノイズによって信号の受信品質が低下することがある。ノイズ発生源１１は、例えば、折畳式携帯電話機の基板間を接続するＦＰＣ（Ｆｌｅｘｉｂｌｅ  Ｐｒｉｎｔｅｄ  Ｃｉｒｃｕｉｔ）である。ＦＰＣによって、例えば、不図示のＬＣＤ（Ｌｉｑｕｉｄ  Ｃｒｙｓｔａｌ  Ｄｉｓｐｌａｙ）を駆動するための信号が基板間を伝送される。
【００２５】
なお、本実施形態では、具体例として、複数の被ノイズ回路３１Ａ〜３１Ｃのいずれが使用されているかに応じて、複数のノイズ低減回路２１Ａ〜２１Ｃのうちいずれを使用するか決定するとした。しかし、本発明はこの例に限定されるものではない。他の例として、選択部１４は、複数のノイズ低減回路２１Ａ〜２１Ｃを順次切り替えて一時的に選択し、各ノイズ低減回路２１Ａ〜２１Ｃが使用されているときの被ノイズ部１２の動作状態を測定し、測定結果に基づいて、複数のノイズ低減回路２１Ａ〜２１Ｃのいずれを継続的に使用するかを決定することにしてもよい。そうすることにより、被ノイズ回路３１Ａ〜３１Ｃが択一的ではなく、複数が同時に使用されうる場合でも、適切なノイズ低減回路２１を選択することができる。
【００２６】
また、本実施形態において、複数のノイズ低減回路２１Ａ〜２１Ｃのうちいずれか１つが、ノイズを低減する周波数帯域を有しないものであってもよい。ノイズを低減する周波数帯域を有しないというのは、全ての周波数帯域の信号を遮断しないということである。選択部１４は、いずれの周波数帯域においてもノイズを低減しないことが適切であると判断した場合、ノイズを低減する周波数帯域を有しないノイズ低減回路２１を選択すればよい。
【００２７】
以下、本実施形態の具体的な実施例について説明する。
【００２８】
（第１の実施例）
図４は、第１の実施例による携帯電話機の構造の概略を示す図である。図４を参照すると、本実施例の携帯電話機は折畳式であり、上部基板１９０と下部基板１８０を有している。
【００２９】
上部基板１９０にはＬＣＤ（Ｌｉｑｕｉｄ  Ｃｒｙｓｔａｌ  Ｄｉｓｐｌａｙ）１４０が搭載されている。下部基板１８０には、ＬＣＤ制御回路１１０、ローパスフィルタ１２０、ＡＮＴ（アンテナ）１５０、バンドパスフィルタ１６０、および無線回路１７０が搭載されている。
【００３０】
また、上部基板１９０と下部基板１８０の間はＦＰＣ１３０によって接続されている。ＡＮＴ１５０がＦＰＣ１３０の付近に配置されている。ＦＰＣ１３０からＡＮＴ１５０を介して無線回路１７０に回り込むノイズを、ノイズ低減回路であるフィルタによって低減している。
【００３１】
図５は、第１の実施例による携帯電話機の構成を示すブロック図である。図５を参照すると、本実施例の携帯電話機は、ＣＰＵ３００、制御回路３１０、フィルタ３２１〜３２３、経路３２４、ＦＰＣ３３０、ＬＣＤ回路３４０ＡＮＴ３５１〜３５３、フィルタ３６１〜３６３、受信回路３７１〜３７３、およびスイッチ３８０を有している。
【００３２】
ＣＰＵ３００は受信回路３７１〜３７３の動作状態を把握し、把握した動作状態に基づいてスイッチ３８０を制御する。例えば、ＣＰＵ３００は、受信回路３７１〜３７３のいずれが動作しているかに応じて、フィルタ３２１〜３２３および経路３２４のうちいずれかを制御回路３１０に接続するようにスイッチ３８０を制御する。また、ＣＰＵ３００は制御回路３１０を制御する。
【００３３】
制御回路３１０は、ＬＣＤ回路３４０にデータバスおよびクロック信号を含むＬＣＤ信号を送信することにより、ＬＣＤ回路３４０を制御する回路であり、ＣＰＵ３００からの指示に従って動作する。
【００３４】
ＬＣＤ回路３４０が動作するときのノイズを考えると、制御回路３１０からのＬＣＤ信号によるノイズは、ＦＰＣ３３０からＡＮＴ３５１〜３５３に結合し、受信回路３７１〜３７３の受信感度を劣化させる。その場合、ＦＰＣ２３０前に適切なフィルタを挿入することにより、ノイズレベルを低減させることが効果的である。
【００３５】
制御回路３１０からのＬＣＤ信号は、フィルタ３２１〜３２３のいずれかあるいは経路３２４とＦＰＣ３３０とを経由してＬＣＤ回路３４０に到達する。
【００３６】
スイッチ３８０は、制御回路３１０からの信号を、フィルタ３２１〜３２３または経路３２４のいずれかに接続するスイッチであり、ＣＰＵ３００からの指示に従って接続を切り替える。
【００３７】
フィルタ３２１〜３２３は、制御回路３１０からのＬＣＤ信号の高周波ノイズを低減させるローパスフィルタである。フィルタ３２１は、受信回路３７１で用いられる周波数の信号を減衰させる。そのため、フィルタ３２１が選択されれば、受信回路３７１における受信品質が改善される。同様に、フィルタ３２２は受信回路３７２で用いられる周波数の信号を減衰させる。フィルタ３２３は受信回路３７３で用いられる周波数の信号を減衰させる。
【００３８】
経路３２４は、フィルタを通過しない経路である。例えば、受信回路３７１〜３７３のいずれも使用されていないとき、ＣＰＵ３００は経路３２４を選択すればよい。
【００３９】
ＦＰＣ３３０は、折畳携帯電話の上部基板１９０と下部基板１８０を接続するフレキシブル基板である。本実施例ではノイズの主な放出源となっている。
【００４０】
ＬＣＤ回路３４０は、制御回路３１０からのＬＣＤ信号により動作し、画像等を表示する。
【００４１】
ＡＮＴ３５１〜３５３は、各受信回路３７１〜３７３に対応したアンテナであり、受信周波数がそれぞれ異なる。
【００４２】
フィルタ３６１〜３６３は、各受信回路３７１〜３７３の不要周波数帯を減衰させるバンドパスフィルタである。
【００４３】
受信回路３７１〜３７３は、各受信回路３７１〜３７３の受信信号を復調する無線回路である。ＣＰＵ３００から各受信回路３７１〜３７３における受信状態を確認できるものとする。
【００４４】
図６は、第１の実施例による携帯電話機のノイズ低減制御動作を示すフローチャートである。図６を参照すると、ＬＣＤ回路３４０が動作しているとき（ステップ１０１）、ＣＰＵ３００は、受信回路３７１〜３７３のうちのどれが使用されているかを確認する（ステップ１０２）。
【００４５】
受信回路３７１が使用されている場合、ＣＰＵ３００は、スイッチ３８０を制御することにより、フィルタ３２１を通る経路を選択する（ステップ１０３）。受信回路３７２が使用されている場合、ＣＰＵ３００はスイッチ３８０を制御することにより、フィルタ３２２を通る経路を選択する（ステップ１０４）。受信回路３７３が使用されている場合、ＣＰＵ３００は、スイッチ３８０を制御することにより、フィルタ３２１を通る経路を選択する（ステップ１０５）。このように本実施例では簡単な構成により、使用されている受信回路の受信周波数に合わせたフィルタを選択することが可能となっている。
【００４６】
使用されている受信回路が変更されると（ステップ１０６のＹｅｓ）、ＣＰＵ３００は、ステップ１０２に戻り、使用されている受信回路に応じて」スイッチ３８０を切り替える。
【００４７】
ＬＣＤ回路３４０の動作が停止すると（ステップ１０７）、ＣＰＵ３００はノイズ低減制御動作を終了する。例えば、ＣＰＵ３００は、経路３２４を選択し、再びＬＣＤ回路３４０が動作するのを待つことにしてもよい。
【００４８】
（第２の実施例）
第２の実施例では、ノイズ低減制御動作が第１の実施例とは異なる。携帯電話機の基本的な構成は図５に示した第１の実施例のものと同じである。
【００４９】
第２の実施例では、ＣＰＵ３００は、フィルタ３２１〜３２３および経路３２４を順次切り替えて一時的に選択し、各フィルタ３２１〜３２３または経路３２４が選択されているときの受信回路３７１〜３７３の動作状態を測定する。そして、ＣＰＵ３００は、その測定結果に基づいて、フィルタ３２１〜３２３または経路３２４のいずれを使用するかを決定する。
【００５０】
図７は、第２の実施例による携帯電話機のノイズ低減制御動作を示すフローチャートである。図７を参照すると、ＬＣＤ回路３４０が動作しているとき（ステップ２０１）、ＣＰＵ３００はフィルタ３２１〜３２３および経路３２４を順次選択し、それぞれの選択状態における受信回路３７１〜３７３での受信状態を測定する。
【００５１】
次に、ＣＰＵ３００は、測定された各受信状態を比較することにより（ステップ２０２）、どのフィルタ３２１〜３２３あるいは経路３２４が最適か判定する。
【００５２】
そして、ＣＰＵ３００は、最適と判定したフィルタ３２１〜３２３あるいは経路３２４を選択するようにスイッチ３８０を制御する（ステップ２０３）。
【００５３】
ＬＣＤ回路３４０が停止すれば（ステップ２０４のＹｅｓ）、ＣＰＵ３００はノイズ低減制御動作を終了する。ＬＣＤ回路３４０の動作が継続している間は（ステップ２０４のＮｏ）、ＣＰＵ３００は、一定時間間隔あるいは受信回路３７１〜３７３の使用状態が変化したとき、再びステップ２０２に戻って受信状態の比較を行う。
【００５４】
以上説明したように、本実施例によれば、受信回路３７１〜３７３のうち複数が同時に動作する場合であっても、適切な選択が可能である。
【００５５】
また、制御回路３１０から出力される信号が複数の回路に分配される場合、使用されている受信回路３７１〜３７３だけからは、使用すべきフィルタ３２１〜３２３あるいは経路３２４が一意に定められないことがある。本実施例では、そのような場合でも適切な選択が可能である。
【００５６】
また、電源電圧レベルの変動の影響によって制御回路３１０から出力される信号の高調波成分が変化する場合がある。その場合もやはり、使用されている受信回路３７１〜３７３だけからは、使用すべきフィルタ３２１〜３２３あるいは経路３２４が一意に定められないことがある。本実施例では、そのような場合でも適切な選択が可能である。
【００５７】
以上、本発明の実施形態および実施例について述べてきたが、本発明は、これらだけに限定されるものではなく、本発明の技術思想の範囲内において、これらの実施形態および実施例を組み合わせて使用したり、一部の構成を変更したりしてもよい。
【図面の簡単な説明】
【００５８】
【図１】本実施形態による電子機器の構成を示すブロック図である。
【図２】本実施形態によるノイズ低減部１３の構成例を示すブロック図である。
【図３】本実施形態による被ノイズ部１２の構成例を示すブロック図である。
【図４】第１の実施例による携帯電話機の構造の概略を示す図である。
【図５】第１の実施例による携帯電話機の構成を示すブロック図である。
【図６】第１の実施例による携帯電話機のノイズ低減制御動作を示すフローチャートである。
【図７】第２の実施例による携帯電話機のノイズ低減制御動作を示すフローチャートである。
【符号の説明】
【００５９】
１０    電子機器
１１    ノイズ発生源
１２    被ノイズ部
１３    ノイズ低減部
１４    選択部
２１Ａ〜２１Ｃ    ノイズ低減回路
３１Ａ〜３１Ｃ    被ノイズ回路
１１０    ＬＣＤ制御回路
１２０    ローパスフィルタ
１３０    ＦＰＣ
１４０    ＬＣＤ
１５０    ＡＮＴ
１６０    バンドパスフィルタ
１７０    無線回路
１８０    下部基板
１９０    上部基板
３００    ＣＰＵ
３１０    制御回路
３２１〜３２３    フィルタ
３２４    経路
３３０    ＦＰＣ
３４０    ＡＮＴ
３５１〜３５３    ＬＣＤ回路
３６１〜３６３    フィルタ
３７１〜３７３    受信回路
３８０    スイッチ
【図１】
2010081324.tif 000003
【図２】
2010081324.tif 000004
【図３】
2010081324.tif 000005
【図４】
2010081324.tif 000006
【図５】
2010081324.tif 000007
【図６】
2010081324.tif 000008
【図７】
2010081324.tif 000009